(57)【要約】【課題】トイレの便器内面等に対して付着させたゲル状洗浄剤の形状が崩れ難いゲル状洗浄剤収納容器及び洗浄剤製品を提供する。【解決手段】内部にゲル状洗浄剤Ｗが収納され、ゲル状洗浄剤Ｗを押し出すための吐出口２１を有するゲル状洗浄剤収納容器１００であって、吐出口２１の周囲には、複数の第１突起部２３と複数の第２突起部２４とが交互に備えられ、第２突起部２４は、第１突起部２３と比較して高さが低い。【選択図】図１
2020050422.tif 000002
【特許請求の範囲】
【請求項１】
内部にゲル状洗浄剤が収納され、前記ゲル状洗浄剤を押し出すための吐出口を有するゲル状洗浄剤収納容器であって、
前記吐出口の周囲には、複数の第１突起部と複数の第２突起部とが交互に備えられ、
前記第２突起部は、前記第１突起部と比較して高さが低いことを特徴とするゲル状洗浄剤収納容器。
【請求項２】
前記第１突起部及び前記第２突起部は、隣り合う前記第１突起部と前記第２突起部との間の間隔が均等になるように配置されていることを特徴とする請求項１に記載のゲル状洗浄剤収納容器。
【請求項３】
前記吐出口には、当該吐出口の平面視において、外周側に凸となる複数の凸部と、内周側に凸となる複数の凹部と、が交互に形成され、
前記凸部は、前記第１突起部の間隙に対応した位置に形成されていることを特徴とする請求項１又は２に記載のゲル状洗浄剤収納容器。
【請求項４】
前記第１突起部は、最も高くなる第１突起部先端が、前記吐出口の平面視において、同一円周上に位置するように備えられ、
前記吐出口の平面視において、前記凹部の最も前記吐出口の内周側に位置する部分が、前記第１突起部先端が位置する円周の中心と、前記第１突起部先端のそれぞれとを結んだ直線上に位置することを特徴とする請求項３に記載のゲル状洗浄剤収納容器。
【請求項５】
前記第２突起部は、最も高くなる第２突起部先端が、前記吐出口の平面視において、同一円周上に位置するように備えられ、
前記吐出口の平面視において、前記凸部の最も前記吐出口の外周側に位置する部分が、前記第２突起部先端が位置する円周の中心と、前記第２突起部先端のそれぞれとを結んだ直線上に位置することを特徴とする請求項３又は４に記載のゲル状洗浄剤収納容器。
【請求項６】
内部にゲル状洗浄剤が収納される容器本体と、前記容器本体に接続され、前記吐出口を有する吐出部と、を備え、
前記容器本体は、前記吐出部と比較して軟質な材料によって形成されていることを特徴とする請求項１から５のいずれか一項に記載のゲル状洗浄剤収納容器。
【請求項７】
請求項１から６のいずれか一項に記載のゲル状洗浄剤収納容器に、ゲル状洗浄剤が収納された洗浄剤製品。
【発明の詳細な説明】
【技術分野】
【０００１】
本発明は、ゲル状洗浄剤収納容器及び洗浄剤製品に関する。
【背景技術】
【０００２】
従来、トイレの便器等の定期的に水が流される場所に付着する汚れを除去するため、様々な洗浄剤が使用されているが、このような洗浄剤の一形態として、長時間洗浄効果を発揮させるため、トイレの便器内面等に付着させ、トイレ等の流水によって徐々に解け出す洗浄剤が開発されている。このような洗浄剤は、押し出し式の収納容器に、ゲル状の洗浄剤を収納しておき、これをトイレの便器の内面等に付着させて使用する。
また、このようゲル状洗浄剤の収納容器としては、付着させた洗浄剤の意匠性を向上するため、花形、星形等の形状にゲル状洗浄剤を付着させることができるものが知られている（例えば、特許文献１参照）。
【先行技術文献】
【特許文献】
【０００３】
【特許文献１】特開２０１１−５７７８０号公報
【発明の概要】
【発明が解決しようとする課題】
【０００４】
このようなトイレの便器内面等の定期的に水が流される場所に付着させて使用されるゲル状の洗浄剤は、付着させた直後には、花形、星形等の意匠性に優れた形状であっても、一定方向から水流が当たることが多く、水流が直接当たる側が溶け出し易いことから、短時間で形状が崩れてしまうことが多かった。
【０００５】
本発明の課題は、トイレの便器内面等に対して付着させたゲル状洗浄剤の形状が崩れ難いゲル状洗浄剤収納容器及び洗浄剤製品を提供することである。
【課題を解決するための手段】
【０００６】
前記課題を解決するために、請求項１に記載の発明は、
内部にゲル状洗浄剤が収納され、前記ゲル状洗浄剤を押し出すための吐出口を有するゲル状洗浄剤収納容器であって、
前記吐出口の周囲には、複数の第１突起部と複数の第２突起部とが交互に備えられ、
前記第２突起部は、前記第１突起部と比較して高さが低いことを特徴とする。
本発明によれば、トイレの便器内面等に対して付着させたゲル状洗浄剤の形状が崩れ難いゲル状洗浄剤収納容器を提供することができる。
【０００７】
請求項２に記載の発明は、請求項１に記載のゲル状洗浄剤収納容器であって、
前記第１突起部及び前記第２突起部は、隣り合う前記第１突起部と前記第２突起部との間の間隔が均等になるように配置されていることを特徴とする。
本発明によれば、トイレの便器内面等に対して付着させたゲル状洗浄剤の形状をさらに崩れ難くすることができる。
【０００８】
請求項３に記載の発明は、請求項１又は２に記載のゲル状洗浄剤収納容器であって、
前記吐出口には、当該吐出口の平面視において、外周側に凸となる複数の凸部と、内周側に凸となる複数の凹部と、が交互に形成され、
前記凸部は、前記第１突起部の間隙に対応した位置に形成されていることを特徴とする。
本発明によれば、付着させたゲル状洗浄剤の意匠性を向上することができる。
【０００９】
請求項４に記載の発明は、請求項３に記載のゲル状洗浄剤収納容器であって、
前記第１突起部は、最も高くなる第１突起部先端が、前記吐出口の平面視において、同一円周上に位置するように備えられ、
前記吐出口の平面視において、前記凹部の最も前記吐出口の内周側に位置する部分が、前記第１突起部先端が位置する円周の中心と、前記第１突起部先端のそれぞれとを結んだ直線上に位置することを特徴とする。
本発明によれば、付着させたゲル状洗浄剤の意匠性をさらに向上することができる。
【００１０】
請求項５に記載の発明は、請求項３又は４に記載のゲル状洗浄剤収納容器であって、
前記第２突起部は、最も高くなる第２突起部先端が、前記吐出口の平面視において、同一円周上に位置するように備えられ、
前記吐出口の平面視において、前記凸部の最も前記吐出口の外周側に位置する部分が、前記第２突起部先端が位置する円周の中心と、前記第２突起部先端のそれぞれとを結んだ直線上に位置することを特徴とする。
本発明によれば、トイレの便器内面等に対して付着させたゲル状洗浄剤の形状をさらに崩れ難くすることができる。
【００１１】
請求項６に記載の発明は、請求項１から５のいずれか一項に記載のゲル状洗浄剤収納容器であって、
内部にゲル状洗浄剤が収納される容器本体と、前記容器本体に接続され、前記吐出口を有する吐出部と、を備え、
前記容器本体は、前記吐出部と比較して軟質な材料によって形成されていることを特徴とする。
本発明によれば、ゲル状洗浄剤を押し出し易くすることができる。
【００１２】
請求項７に記載の発明は、
請求項１から６のいずれか一項に記載のゲル状洗浄剤収納容器に、ゲル状洗浄剤が収納された洗浄剤製品である。
本発明によれば、トイレの便器内面等に対して付着させたゲル状洗浄剤の形状が崩れ難い洗浄剤製品を提供することができる。
【発明の効果】
【００１３】
本発明によれば、トイレの便器内面等に対して付着させたゲル状洗浄剤の形状が崩れ難いゲル状洗浄剤収納容器及び洗浄剤製品を提供することができる。
【図面の簡単な説明】
【００１４】
【図１】実施形態に係るゲル状洗浄剤収納容器を示す斜視図である。
【図２】図１のII-II部における断面図である。
【図３】吐出口を上方に向けた状態における実施形態に係るゲル状洗浄剤収納容器の平面図である。
【図４】実施形態に係るゲル状洗浄剤収納容器によって、トイレの便器内面等に押し出されたゲル状洗浄剤を示す平面図である。
【図５】図４のV-V部における断面図である。
【発明を実施するための形態】
【００１５】
以下、本発明の実施形態であるゲル状洗浄剤収納容器１００の具体的な態様について、図１から図５に基づいて説明する。ただし、本発明の技術的範囲は、図示例に限定されるものではない。
【００１６】
［実施形態の構成］
｛全体構成｝
ゲル状洗浄剤収納容器１００は、内部にゲル状洗浄剤Ｗが充填され、ゲル状洗浄剤Ｗを、トイレの便器内面等の定期的に水が流される場所に付着させるために用いられる容器であり、図１及び図２に示すように、容器本体１と、吐出部２と、を備える。
【００１７】
｛容器本体｝
容器本体１は、内部が空洞となり収納空間Ｓが形成され、ゲル状洗浄剤Ｗによって充填される、ゲル状洗浄剤収納容器１００の本体をなす部材である。
図１及び図２に示すように、容器本体１は、一端が扁平となるように融着され、扁平端部１１が形成されている。また、図２に示すように、もう一方の端部は略円形の開口部となっており、本体側開口部１２が形成されている。
容器本体１は、図２に示すように、本体側開口部１２の周囲の外周が、後述の吐出部２の吐出部側開口部２２の内周と略同一の直径を有する円形に形成され、容器本体１が吐出部側開口部２２に挿入されるようにして、容器本体１と吐出部２とが、所定の接着剤によって接着する等の任意の方法により接続されている。
なお、これとは反対に、本体側開口部１２の内周が、後述の吐出部２の吐出部側開口部２２の周囲の外周と略同一の直径を有する円形に形成され、吐出部２が本体側開口部１２に挿入されるようにして、容器本体１と吐出部２とが接続されていてもよい。ただし、ゲル状洗浄剤Ｗの押し出し時に剥がれ難くするため、図２に示すように接続されている方が好ましい。
【００１８】
容器本体１は、吐出部２と比較して軟質な材料によって形成される。具体的な硬度としては、７０から９０であることが好ましい。なお、上記硬度は、ＪＩＳＫ６２５３（タイプＡデュロメータ）によって測定されたものである。
具体的な材料としては、例えばポリエチレンテレフタラート（ＰＥＴ）、ポリプロピレン（ＰＰ）、アルミ、各種蒸着フィルム等が用いられる。
【００１９】
容器本体１の大きさは、充填されるゲル状洗浄剤Ｗの量に応じて任意に定めることができるが、複数回使用できる十分な内容量及びゲル状洗浄剤Ｗをトイレの便器内面に付着させる際の利便性を確保しつつ、後述のように吐出部２において、吐出口２１、第１突起部２３及び第２突起部２４を形成するのに十分なスペースを確保する観点から、本体側開口部１２付近において直径20ｍｍから50ｍｍとなり、扁平端部１１から本体側開口部１２までの長さが５０ｍｍから１５０ｍｍとなるように形成され、内容量が３０ｍｌから１００ｍｌであることが望ましい。
【００２０】
｛吐出部｝
吐出部２は、ゲル状洗浄剤Ｗが押し出される開口部が形成される部分であり、図１から図３に示すように、略円筒状に形成され、一面において容器本体１と接続され、これと対向する他面側にゲル状洗浄剤Ｗが押し出される吐出口２１を備える。
吐出部２は、容器本体１と比較して硬質な材料によって形成される。具体的な硬度としては、９０から１００であることが好ましい。なお、上記硬度は、ＪＩＳＫ６２５３（タイプＡデュロメータ）によって測定されたものである。
具体的な材料としては、例えばＰＥＴ、ＰＰ等が用いられる。
【００２１】
吐出部２の吐出口２１が形成されたのと反対側の端部は、図２に示すように、略円形の開口部となっており、吐出部側開口部２２が形成されている。
吐出部側開口部２２の内周は、容器本体１の本体側開口部１２の周囲の外周と略同一の直径を有する円形に形成され、容器本体１が吐出部側開口部２２に挿入されるようにして、容器本体１と吐出部２とが、所定の接着剤によって接着する等の任意の方法により接続されている。
なお、これとは反対に、吐出部２の吐出部側開口部２２の周囲の外周が、本体側開口部１２の内周と略同一の直径を有する円形に形成され、吐出部２が本体側開口部１２に挿入されるようにして、容器本体１と吐出部２とが接続されていてもよい。ただし、ゲル状洗浄剤Ｗの押し出し時に剥がれ難くするため、図２に示すように接続されている方が好ましい。
【００２２】
吐出部２は、直径が容器本体１の本体側開口部１２付近と比較して僅かに大きくなり、高さが１０ｍｍから３０ｍｍとなる円筒状に形成されていることが好ましい。
【００２３】
（吐出口）
吐出口２１は、ゲル状洗浄剤収納容器１００からゲル状洗浄剤Ｗが押し出される開口部であり、吐出部２の容器本体１と接続されたのと反対側の端部の中央部に形成されている。
吐出口２１は、図１及び図２に示すように、周囲が吐出部２の容器本体１と接続されたのと反対側の面から隆起するようにして形成される。具体的には、吐出部２の容器本体１と接続されたのと反対側の面から2ｍｍから10ｍｍ隆起するようにして形成されていることが好ましい。
【００２４】
また、吐出口２１は、平面視における形状が、図３に示すように、外周側に凸となる凸部２１ａと、内周側に凸となる凹部２１ｂとが交互に形成され、略星柄となるように形成されている。また、平面視において、各凸部２１ａの最も吐出口２１の外周側に位置する部分が同一円周上に位置し、各凹部２１ｂの最も吐出口２１の内周側に位置する部分が同一円周上に位置するように形成されている。
また、これらの円周の中心が一致するように形成されている。図３においては、これら円周の中心が、共に中心Ｏに位置する場合につき図示している。
なお、図１から図３においては、凸部２１ａと凹部２１ｂとがそれぞれ５個ずつ形成された場合につき図示したが、凸部２１ａと凹部２１ｂの形成数はこれに限られない。ただし、後述のように第１突起部２３の形成数及び第２突起部２４の形成数と同数となる。
【００２５】
具体的な吐出口２１の大きさは、平面視において、凸部２１ａの最も吐出口２１の外周側に位置する部分を結ぶ円周の直径が5ｍｍから20ｍｍとなり、凹部２１ｂの最も吐出口２１の内周側に位置する部分を結ぶ円周の直径が2ｍｍから10ｍｍとなることが好ましい。
【００２６】
（突起部）
吐出口２１の周囲には、図１から図３に示すように、吐出口２１を囲むようにして、吐出部２の容器本体１と接続されたのと反対側へと、吐出口２１周囲の隆起部よりも高く突出する複数の第１突起部２３及び複数の第２突起部２４が、これらが交互に均等な間隔で配置されるように形成されている。また、第２突起部２４が突出する高さは、第１突起部２３が突出する高さよりも低い。
具体的には、第１突起部２３が、吐出部２の容器本体１と接続されたのと反対側の面の吐出口２１周囲の隆起部以外の部分から5ｍｍから15ｍｍの高さを有し、第２突起部２４が、吐出部２の容器本体１と接続されたのと反対側の面の吐出口２１周囲の隆起部以外の部分から3ｍｍから12ｍｍの高さを有することが好ましい。
また、第２突起部２４は吐出口２１周囲の隆起部よりも高く、第１突起部２３は第２突起部２４よりも高い必要があり、具体的には、第２突起部２４が、吐出口２１の周囲の隆起部のうち、最も高くなっている部分と比較して0.5ｍｍから5ｍｍ高くなるように形成され、第１突起部２３が、第２突起部２４と比較して0.5ｍｍから3ｍｍ高くなるように形成されていることが好ましい。
【００２７】
（第１突起部）
第１突起部２３は、図１から図３に示すように、吐出口２１の平面視において、吐出口２１の周囲に、これを囲むように均等な間隔で形成されている。また、第１突起部２３は、後述のように吐出口２１から押し出されたゲル状洗浄剤Ｗを複数の突出部Ｗ１に分割して花形類似の形状を形成し易くするため、図３に示すように、吐出口２１の平面視において、放射状に広がり、吐出口２１から離れるにしたがって厚みが厚くなる板状に形成されている。
第１突起部２３の具体的な形成数は、図１から図３においては５個形成される場合につき図示したが、これには限られない、ただし、便器内面等に付着させたゲル状洗浄剤Ｗを整った花形とするため、2個以上、8個以下の形成数であることが好ましい。
【００２８】
第１突起部２３は、図１から図３に示すように、これが最も高くなる第１突起部先端２３ａが、吐出口２１の平面視において同一円周上に位置し、当該円周の中心と、第１突起部先端２３ａとを結んだ直線上に、凹部２１ｂの最も吐出口２１の内周側に位置する部分が配置されるように形成される。したがって、第１突起部２３の形成数と、凹部２１ｂの形成数とは一致することとなる。第１突起部先端２３ａを結ぶ円周の直径は20ｍｍから40ｍｍであることが好ましい。
第１突起部２３は、第１突起部先端２３ａを結ぶ円周の中心が、凸部２１ａの最も吐出口２１の外周側に位置する部分を結ぶ円周及び凹部２１ｂの最も吐出口２１の内周側に位置する部分を結ぶ円周の中心と一致するように形成されている。図３においては、これらが一致し、中心Ｏに位置する場合につき図示している。
【００２９】
（第２突起部）
第２突起部２４は、図１から図３に示すように、平面視において、吐出口２１の周囲に、これを囲むようにして、第１突起部２３の間の位置に、第１突起部２３と第２突起部２４との間の間隔が均等になるように形成されている。また、第２突起部２４は、後述のように吐出口２１から押し出されたゲル状洗浄剤Ｗに溝部Ｗ２を形成し易くするため、図３に示すように、吐出口２１の平面視において、吐出口２１に向かう側に角が位置する略三角形状となるように形成されている。
【００３０】
第２突起部２４は、図１から図３に示すように、これが最も高くなる第２突起部先端２４ａが、吐出口２１の平面視において同一円周上に位置し、当該円周の中心と、第２突起部先端２４ａとを結んだ直線上に、凸部２１ａの最も吐出口２１の外周側に位置する部分が配置されるように形成される。したがって、第２突起部２４の形成数と、凸部２１ａの形成数とは一致することとなる。第２突起部先端２４ａを結ぶ円周の直径は、10ｍｍから30ｍｍであることが好ましい。
第２突起部２４は、第２突起部先端２４ａを結ぶ円周の中心が、凸部２１ａの最も吐出口２１の外周側に位置する部分を結ぶ円周及び凹部２１ｂの最も吐出口２１の内周側に位置する部分を結ぶ円周の中心と一致するように形成されている。図３においては、これらが一致し、中心Ｏに位置する場合につき図示している。
【００３１】
［ゲル状洗浄剤収納容器の使用方法］
ゲル状洗浄剤収納容器１００を使用する際には、使用者は、まず、容器本体１を把持した上で、吐出部２側を、便器内面等のゲル状洗浄剤Ｗを付着させたい面に近接させ、第１突起部先端２３ａを、当該面に接触させる。
【００３２】
続いて、使用者は、容器本体１を押圧し、吐出口２１からゲル状洗浄剤Ｗを押し出す。押し出す量は任意であり、使用者が付着させたい量に応じて調整することができるが、0.5ｇから7ｇが好適である。これによって、第１突起部２３の間からはみ出したゲル状洗浄剤Ｗが、周囲に広がることとなる。
【００３３】
続いて、使用者は、ゲル状洗浄剤収納容器１００を便器内面等から離す。これによって、押し出されたゲル状洗浄剤Ｗは、便器内面等に付着したまま、残ることとなる。
【００３４】
［付着したゲル状洗浄剤Ｗの形状］
このようにして付着させると、図４及び図５に示すような形状で、ゲル状洗浄剤Ｗが、便器内面等に付着することとなる。
すなわち、第１突起部２３の間からはみ出したゲル状洗浄剤Ｗが、第１突起部２３と同数の突出部Ｗ１を形成する。
また、突出部Ｗ１の中央には、第２突起部２４によって、溝部Ｗ２が形成されることとなる。
さらに、平面視における中央部には、吐出口２１によって、下方に凹となる凹部Ｗ３が形成される。
【００３５】
［ゲル状洗浄剤収納容器の効果］
実施形態に係るゲル状洗浄剤収納容器１００によれば、上記のように、図４及び図５に示すような形状となるように、便器内面等に対してゲル状洗浄剤Ｗを付着させることができる。これによって、以下のような効果を得ることができる。
【００３６】
まず、吐出口２１の周囲に第１突起部２３が形成されていることによって、ゲル状洗浄剤Ｗを、平面視において複数の突出部Ｗ１が外周側へと広がる花形類似の形状となるように付着させることができる。
したがって、意匠性に優れた形状で、便器内面等にゲル状洗浄剤Ｗを付着させることが可能となる。
【００３７】
また、トイレの便器内面等の定期的に水が流される場所においては、一定方向から水が流れる場合が多いことから、水流が当たる片側のみが溶け出しやすく、これによって、付着させた当初には意匠性に優れた形状にゲル状洗浄剤Ｗを付着させることができても、このような形状は短時間で崩れてしまうことが多い。
これに対し、本実施形態に係るゲル状洗浄剤収納容器１００によれば、第１突起部２３の間に配置された第２突起部２４によって、突出部Ｗ１上に、図４及び図５に示すように溝部Ｗ２が形成される。これによって、付着させたゲル状洗浄剤Ｗの表面全体に、溝部Ｗ２を蔦って均一に水が流れ易くなることから、付着させたゲル状洗浄剤Ｗの全体が均等に溶け易くなり、片側のみ溶けてその形状が早期に崩れてしまうことを抑制できる。
【００３８】
また、同時に、付着させたゲル状洗浄剤Ｗの突出部Ｗ１上に、溝部Ｗ２が形成されることで、付着させたゲル状洗浄剤Ｗの上を、水がスムーズに流れることから、ゲル状洗浄剤Ｗを付着させたことによって生じる水跳ねも防止できる。
【００３９】
このような効果は、第１突起部２３と第２突起部２４とがこれらの間隔が均等となるように配置されていることで、突出部Ｗ１の中央部に溝部Ｗ２を形成することができ、突出部Ｗ１が均一に溶けやすくなり、さらに高めることができる。また、突出部Ｗ１の中央部に溝部Ｗ２が形成されることは、付着させたゲル状洗浄剤Ｗの意匠性の向上にも寄与する。
【００４０】
また、第２突起部先端２４ａが位置する円周の中心と、第２突起部先端２４ａとを結んだ直線上に、凸部２１ａの最も吐出口２１の外周側に位置する部分が配置されるように形成されることで、第２突起部２４に対応する位置において押し出されるゲル状洗浄剤Ｗを多くすることができ、突出部Ｗ１の中央に溝部Ｗ２が形成されやすくなり、さらにこのような効果を高めることができる。
【００４１】
また、吐出口２１が第１突起部２３の間隙に対応する位置に凸部２１ａを有することで、第１突起部２３の間隙に対応する位置において押し出されるゲル状洗浄剤Ｗを増加させ、第１突起部２３によって形成される花形類似の形状を明確にすることができる。したがって、付着させたゲル状洗浄剤Ｗの意匠性を高めることができる。
また、第１突起部先端２３ａが位置する円周の中心と、第１突起部先端２３ａとを結んだ直線上に、凹部２１ｂの最も吐出口２１の内周側に位置する部分が配置されるように形成されることで、第１突起部２３に対応する位置において押し出されるゲル状洗浄剤Ｗを少なくすることができ、さらにこのような効果を高めることができる。
【００４２】
また、実施形態に係るゲル状洗浄剤収納容器１００によれば、上記のようにして、第１突起部先端２３ａを便器内面等に接触させた上で、容器本体１を押圧するのみで、吐出口２１からゲル状洗浄剤Ｗを押し出し、これを付着させることができることから、ゲル状洗浄剤Ｗを便器内面等に付着させる作業が容易となる。
【００４３】
また、実施形態に係るゲル状洗浄剤収納容器１００によれば、任意の量のゲル状洗浄剤Ｗを容器から出すことができ、洗浄効果を継続させたい期間等に応じて、付着させる量を調整しつつ使用することができる。
【００４４】
また、実施形態に係るゲル状洗浄剤収納容器１００によれば、比較的軟質な容器本体１にゲル状洗浄剤Ｗが収納されていることによって、容器本体１を変形させつつゲル状洗浄剤Ｗを押し出すことができることから、容器内に残ってしまい、使用できないゲル状洗浄剤Ｗを減少させることができる。
【００４５】
［ゲル状洗浄剤収納容器の変形例］
第１突起部２３及び第２突起部２４は、これらが交互に配置されていると共に、第１突起部２３に比して第２突起部２４が低くなるように形成されていればよく、具体的な形状は上記のものに限られない。
また、吐出口２１及びその周囲の形状も、上記のような凸部２１ａ及び凹部２１ｂによる効果は得られなくなるものの、適宜変更することが可能である。
また、吐出口２１、第１突起部２３及び第２突起部２４以外の構成については、吐出口２１から内部のゲル状洗浄剤Ｗを押し出すことができればよく、上記の容器本体１と吐出部２とからなるものには限られない。
【００４６】
［ゲル状洗浄剤の説明］
次に、実施形態に係るゲル状洗浄剤収納容器１００に充填されるゲル状洗浄剤Ｗとして好適なゲル状洗浄剤組成物の一例である、セルロースナノファイバー（以下、「ＣＮＦ」という。）及びシクロデキストリンを含有するゲル状洗浄剤組成物（以下、「ＣＮＦ及びシクロデキストリン含有ゲル状洗浄剤組成物」という。）につき説明する。ただし、これはあくまで一例であり、ゲル状洗浄剤収納容器１００に充填されるゲル状洗浄剤Ｗは、これに限られるものではない。
【００４７】
｛ＣＮＦ及びシクロデキストリン含有ゲル状洗浄剤組成物の構成｝
ＣＮＦ及びシクロデキストリン含有ゲル状洗浄剤組成物は、ゲル状に形成され、ＣＮＦ及びシクロデキストリンを含有するものである。
なお、本発明において、「ゲル状」とは、２５℃において、ゾルにならず、定形性のある半固形状の状態をいう。
【００４８】
（ＣＮＦ）
ＣＮＦとは、パルプ繊維を解繊して得られる微細なセルロース繊維をいい、一般的に平均繊維幅がナノサイズ（１ｎｍ以上、１０００ｎｍ以下）のセルロース微細繊維を含むセルロース繊維をいう。
【００４９】
ＣＮＦの製造に使用可能なパルプ繊維としては、広葉樹パルプ（ＬＢＫＰ）、針葉樹パルプ（ＮＢＫＰ）等の化学パルプ、晒サーモメカニカルパルプ（ＢＴＭＰ）、ストーングランドパルプ（ＳＧＰ）、加圧ストーングランドパルプ（ＰＧＷ）、リファイナーグランドパルプ（ＲＧＰ）、ケミグランドパルプ（ＣＧＰ）、サーモグランドパルプ（ＴＧＰ）、グランドパルプ（ＧＰ）、サーモメカニカルパルプ（ＴＭＰ）、ケミサーモメカニカルパルプ（ＣＴＭＰ）、リファイナーメカニカルパルプ（ＲＭＰ）等の機械パルプ、茶古紙、クラフト封筒古紙、雑誌古紙、新聞古紙、チラシ古紙、オフィス古紙、段ボール古紙、上白古紙、ケント古紙、模造古紙、地券古紙、更紙古紙等から製造される古紙パルプ、古紙パルプを脱墨処理した脱墨パルプ（ＤＩＰ）などが挙げられる。これらは、本発明の効果を損なわない限り、単独で用いてもよく、複数種を組み合わせて用いてもよい。
【００５０】
ＣＮＦの製造方法としては、例えば、高圧ホモジナイザー法、マイクロフリュイダイザー法、グラインダー磨砕法、ビーズミル凍結粉砕法、超音波解繊法等の機械的手法が挙げられるが、これらの方法に限定されるものではない。
例えば、パルプ繊維に対して機械的手法の解繊処理を施したものに、カルボキシメチル化等の化学的処理を施しても良いし、酵素処理を施してもよい。
また、化学的処理や酵素処理を施したＣＮＦに、機械的手法の解繊処理を施してもよい。
【００５１】
ＣＮＦ及びシクロデキストリン含有ゲル状洗浄剤組成物において用いられるＣＮＦは、後述の方法によって算出した平均繊維幅が、１ｎｍから１００ｎｍであることが好ましい。
【００５２】
ＣＮＦ及びシクロデキストリン含有ゲル状洗浄剤組成物中のＣＮＦの含有割合としては、０．００２質量％以上、０．２質量％以下であることが好ましい。例えばＣＮＦを水に混ぜ合わせ、濃度が２質量％のスラリー液として用いる場合、当該液を０．１質量％以上、１０質量％以下加えることが好ましいということとなる。０．００２質量％未満となると、後述の泡立ちを向上する効果が十分に発揮されず、０．２質量％を超えると、製造時の撹拌の際の泡立ちが多くなり、製造が困難となる。また、０．０１質量％以上、０．１質量％以下であることがさらに好ましい。
【００５３】
なお、具体的に用いることができるＣＮＦとしては、例えば、ＮＢＫＰ１００％のＣＮＦであり、ＣＮＦの平均繊維幅(メジアン径)が４９ｎｍのものが挙げられる。このＣＮＦは、ＮＢＫＰをリファイナー処理して粗解繊した後、高圧ホモジナイザーを用いて、４回処理して解繊することにより得られたものである。
【００５４】
ここで、ＣＮＦの繊維幅（平均繊維幅）の測定方法について説明する。
まず、固形分濃度０．０１〜０．１質量％のセルロースナノファイバーの水分散液１００ｍｌをテフロン（登録商標）製メンブレンフィルターでろ過し、エタノール１００ｍｌで１回、ｔ−ブタノール２０ｍｌで３回溶媒置換する。
次に、凍結乾燥し、オスミウムコーティングして試料とする。この試料について、構成する繊維の幅に応じて５０００倍、１００００倍又は３００００倍のいずれかの倍率（段落００２１に記載のＣＮＦについては、３００００倍の倍率を用いた。）で電子顕微鏡ＳＥＭ画像による観察を行う。具体的には、観察画像に二本の対角線を引き、対角線の交点を通過する直線を任意に三本引く。さらに、この三本の直線と交錯する合計１００本の繊維の幅を目視で計測する。そして、計測値の中位径（メジアン径）を平均繊維幅とする。なお、計測値の中位径に限らず、例えば、数平均径や、モード径（最頻径）を平均繊維幅としてもよい。
【００５５】
（シクロデキストリン）
ＣＮＦ及びシクロデキストリン含有ゲル状洗浄剤組成物中のシクロデキストリンの含有割合としては、０．１質量％以上、０．５質量％以下であることが好ましい。０．１質量％未満となると、後述の泡立ちを向上する効果が十分に発揮されず、０．５質量％を超えると、泡立ちを向上する効果は得られるものの、シクロデキストリンが水に溶けにくくなり、透明がゲルの製造が困難となるため好ましくない。
【００５６】
用いるシクロデキストリンの種類は特に限定されず、α−シクロデキストリン、β−シクロデキストリン又はγ−シクロデキストリンのいずれも用いることができる。
【００５７】
（その他の組成物）
ＣＮＦ及びシクロデキストリン含有ゲル状洗浄剤組成物は、ＣＮＦ及びシクロデキストリン以外に、界面活性剤、香料、グリセリン、水等を含む。この内、界面活性剤及び水を含有することは必須である。
【００５８】
界面活性剤及び水は、洗浄剤をゲル化させるために必須となる。界面活性剤としては、エステル型、エーテル型、アルキルグリコシド等の非イオン界面活性剤を用いることが好ましい。
具体的には、界面活性剤としては、例えば、非イオン界面活性剤であるポリオキシアルキレンアルキルエーテルを用いることができ、含有割合は、１質量％以上、７０質量％以下であることが好ましい。
後述の実施例に示されているように、非イオン界面活性剤が１０質量％未満という低濃度の場合、又は５０質量％を超える高濃度の場合のいずれであっても、本発明の効果を得ることができる。
【００５９】
香料は、ゲル状洗浄剤組成物に、洗浄作用に加え、芳香作用を付与するために加えられる。
香料としては、特に限定されないが、例えば、シトラス系、ローズ系、フローラル系等の香料を用いることができる。
香料の含有割合としては、０．５質量％以上、１０質量％以下であることが好ましい。０．５質量％未満であると、芳香作用が十分でない場合が多く、１０質量％を超えると洗浄剤組成物がゲル状となり難くなる。
【００６０】
グリセリンは、ゲル状洗浄剤組成物のゲル化濃度をコントロールするために加えられる。
グリセリンの含有割合としては、３質量％以上、２０質量％以下であることが好ましい。
【００６１】
｛ＣＮＦ及びシクロデキストリン含有ゲル状洗浄剤組成物の効果｝
ＣＮＦは表面積が大きいことから、立体障害物となり、発泡性の向上に寄与する効果を有する。また、シクロデキストリンは、発泡を妨げる疎水性の物質を包接し、これを覆うことから、ゲル状洗浄剤組成物中の香料等の油分による発泡への悪影響を低減させる効果を有する。したがって、ゲル状洗浄剤組成物に、ＣＮＦ及びシクロデキストリンを加えることで、ゲル状洗浄剤が水に溶け出した際の泡立ちを向上させることができる。
これによって、ゲル状洗浄剤をトイレの便器内面等に付着させて使用する場合において、これが流水によって溶け出した際に泡が生じやすくなることから、使用者は、視覚的に洗浄剤の効果が生じているかを確認し易くなる。
また、発泡性が高まることで、洗浄効果も向上させることができる。
【００６２】
また、シクロデキストリンは、香料と共に加えられた場合、香料を包接し、水に触れた際に包接されていた香料が放出されるようにする効果を有する。したがって、香料をシクロデキストリンと共に加えることで、香料が、ゲル状洗浄剤が水に溶けるまで放出され難くすることができ、ゲル状洗浄剤の芳香効果の持続性を高めることができる。
このような効果を効率的に生じさせるためには、香料は、事前にシクロデキストリンと混合しておき、当該状態でゲル状洗浄剤組成物に加えられることが望ましい。
【００６３】
また、ＣＮＦは、チクソトロピー性が高い。すなわち、剪断応力を受けている際には粘度が低下し易く、静止している際には、粘度が上昇し易い。
したがって、使用者がゲル状洗浄剤を容器から押し出そうとして力を加えた際には、その粘度が低下し、ゲル状洗浄剤を容器から押し出す作業が容易となる。また、これをトイレの便器内面等に付着させた後には、その粘度が上昇し、定着性が高まることから、長時間洗浄効果を発揮させることができる。
【００６４】
また、トイレの便器内面等に付着させた後にその粘度が上昇し、定着性が高まることによって、トイレの便器内面等に付着させたゲル状洗浄剤の形状を崩れ難くする効果も得ることができる。
したがって、実施形態に係るゲル状洗浄剤収納容器１００に収納されたゲル状洗浄剤ＷがＣＮＦを含むことによって、溝部Ｗ２が形成されたゲル状洗浄剤Ｗの形状を長時間維持させることができ、実施形態に係るゲル状洗浄剤収納容器１００の効果を一層高めることができる。
【００６５】
｛ＣＮＦ及びシクロデキストリン含有ゲル状洗浄剤組成物の変形例｝
ＣＮＦ及びシクロデキストリン含有ゲル状洗浄剤組成物は、さらに、カルボキシメチルセルロース（以下、「ＣＭＣ」という。）を含有していてもよい。
ＣＭＣは、ＣＮＦのＯＨ基に結合することで、静電相互作用により立体障害的に分子同士を離れやすくし、ＣＮＦの凝集を防ぎ、その効果を高めることができる。
【００６６】
ゲル状洗浄剤組成物にＣＭＣを加える場合の含有割合としては、０．５質量％以上、１０質量％以下であることが好ましい。０．５質量％未満であると、上記の効果を十分に発揮できず、１０質量％を超えるとゲル化が不安定となり、ゲル状を維持し難くなる。さらに、１質量％以上、５質量％以下であることが最も好ましい。
【００６７】
ＣＮＦ及びシクロデキストリン含有ゲル状洗浄剤組成物は、ヒドロキシエチルセルロース（以下、「ＨＥＣ」という。）を含有していてもよい。ＨＥＣによっても、ＣＭＣと同様の効果を得ることができる。
ゲル状洗浄剤組成物にＨＥＣを加える場合の含有割合としては、０．５質量％以上、１０質量％以下であることが好ましい。０．５質量％未満であると、上記の効果を十分に発揮できず、１０質量％を超えるとゲル化が不安定となり、ゲル状を維持し難くなる。さらに、１質量％以上、５質量％以下であることが最も好ましい。
【符号の説明】
【００６８】
１００  ゲル状洗浄剤収納容器
２１  吐出口
２１ａ  凸部
２１ｂ  凹部
２３  第１突起部
２３ａ  第１突起部先端
２４  第２突起部
２４ａ  第２突起部先端
Ｏ  中心
Ｗ  ゲル状洗浄剤
【図１】
2020050422.tif 000003
【図２】
2020050422.tif 000004
【図３】
2020050422.tif 000005
【図４】
2020050422.tif 000006
【図５】
2020050422.tif 000007